Podtech/llm-jp-corpus-v4-ja_patent huggingface dataset:
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
スペクトルデミキシングのための方法であって、
試料と相互作用した複数の電磁エネルギー周波数を示す、分光センサーによって生成された実験に基づいた分光データを取得すること（５０２）、
スペクトルライブラリを示す階層スペクトルクラスタツリーのコンピュータ読取り可能な表現にアクセスすること（５０４）、
前記階層スペクトルクラスタツリーの複数のレベルの各データを用いて前記実験に基づいた分光データに由来するフォービエイテッド分光データをデミキシングすること（５０６）、
前記階層スペクトルクラスタツリー中の少なくとも１つのノードを前記実験に基づいた分光データに対応すると特定すること（５１４）、及び
最低でも前記少なくとも１つのノードに対応する前記試料の端成分存在度評価を出力すること（５１６）
を含む方法。
【請求項２】
前記実験に基づいた分光データは、
前記試料から反射された複数の電磁エネルギー周波数、又は
ピクセル
のうちの少なくとも１つを示す、請求項１に記載の方法。
【請求項３】
前記階層スペクトルクラスタツリーは、
個々の端成分を示すノードを含む少なくとも１つのターミナルレベルを含む複数のレベル、又は
各プロトタイプノードが複数の端成分を示す複数のプロトタイプノード
のうちの少なくとも１つを含む、請求項１に記載の方法。
【請求項４】
前記スペクトルライブラリを階層的にクラスタリングすることを更に含む、請求項１から３のいずれか一項に記載の方法。
【請求項５】
フォービエイテッド分光データを前記デミキシングすることは、フォービエイテッド圧縮投影を実行すること（５０８）を含む、及び／又はフォービエイテッド分光データを前記デミキシングすることは、スパース再構成（５１０）を含む、請求項１に記載の方法。
【請求項６】
地理空間解析、目標認識、監視、化学物質検知、リモートセンシング、及びこれらの組み合わせのうちの少なくとも１つのために、前記端成分存在度評価を使用することを更に含む、請求項１から５のいずれか一項に記載の方法。
【請求項７】
前記出力することは、表示を人が読みうる形式にさせることを含む、請求項１に記載の方法。
【請求項８】
スペクトルデミキシングのためのシステムであって、
試料と相互作用した複数の電磁エネルギー周波数を示す、分光センサーによって生成された実験に基づいた分光データを取得するように設定されたインターフェース、
スペクトルライブラリを示す階層スペクトルクラスタツリーのコンピュータ読取り可能な表現に通信可能に接続された少なくとも１つの電子プロセッサ、
前記階層スペクトルクラスタツリーの複数のレベルの各データを用いて前記実験に基づいた分光データに由来するフォービエイテッド分光データをデミックスするように設定された少なくとも１つの電子プロセッサ、
前記階層スペクトルクラスタツリー中の少なくとも１つのノードを前記実験に基づいた分光データに対応すると特定するように設定された少なくとも１つの電子プロセッサ、及び
最低でも前記少なくとも１つのノードに対応する前記試料の端成分存在度評価を出力するように設定された少なくとも１つの電子プロセッサ
を含むシステム。
【請求項９】
前記実験に基づいた分光データは、
前記試料から反射された複数の電磁エネルギー周波数、又は
ピクセル
のうちの少なくとも１つを示す、請求項８に記載のシステム。
【請求項１０】
前記階層スペクトルクラスタツリーは、
個々の端成分を示すノードを含む少なくとも１つのターミナルレベルを含む複数のレベル、又は
各プロトタイプノードが複数の端成分を示す複数のプロトタイプノード
のうちの少なくとも１つを含む、請求項８に記載のシステム。
【請求項１１】
前記スペクトルライブラリを階層的にクラスタ化するように設定された少なくとも１つの電子プロセッサを更に含む、請求項８から１０のいずれか一項に記載のシステム。
【請求項１２】
フォービエイテッド分光データをデミックスするように設定された前記少なくとも１つの電子プロセッサは更に、フォービエイテッド圧縮投影を実行するように設定されており、及び／又はフォービエイテッド分光データをデミックスするように設定された少なくとも１つの電子プロセッサは更にスパース再構成を実行するように設定されている、請求項８に記載のシステム。
【請求項１３】
地理空間解析、目標認識、監視、化学物質検知、リモートセンシング、及びこれらの組み合わせのうちの少なくとも１つのために、前記端成分存在度評価を提供するように設定された少なくとも１つの電子プロセッサを更に含む、請求項８〜１２のいずれか一項に記載のシステム。
【請求項１４】
出力するように設定された前記少なくとも１つの電子プロセッサは更に、表示を人が読みうる形式にさせるように設定されている、請求項８に記載のシステム。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
第１のバッファ回路と、レベルシフタ回路と、第２のバッファ回路と、第１乃至第３の配線と、を有する半導体装置であって、
前記第１の配線は、第１の電位と、前記第１の電位よりも小さい第３の電位を与える機能を有し、
前記第２の配線は、前記第１の電位よりも大きい第２の電位と、前記第３の電位を与える機能を有し、
前記第３の配線は、前記第３の電位を与える機能を有し、
前記第１のバッファ回路は、前記第１の配線及び前記第３の配線に電気的に接続され、
前記レベルシフタ回路及び前記第２のバッファ回路はそれぞれ、前記第２の配線及び前記第３の配線に電気的に接続され、
前記第１のバッファ回路への電源電圧の供給は、前記第１の配線に与える電位を前記第３の電位から前記第１の電位に切り替えて行われ、
前記レベルシフタ回路及び前記第２のバッファ回路への電源電圧の供給は、前記第２の配線に与える電位を前記第３の電位から前記第２の電位に切り替えて行われ、
前記第２の配線における前記第３の電位から前記第２の電位への電位の切り替えは、前記第１の配線における前記第３の電位から前記第１の電位への電位の切り替えよりも、後に行われる、半導体装置。
【請求項２】
請求項１において、
メモリセルを有し、
前記メモリセルは、トランジスタを有し、
前記メモリセルは、前記トランジスタを非導通状態として、前記トランジスタに接続されたノードに、データに応じた電荷を保持する機能を有し、
前記第２のバッファ回路は、前記第トランジスタのゲートに電気的に接続される、半導体装置。
【請求項３】
請求項２において、
前記トランジスタは、チャネル形成領域に酸化物半導体を有する、半導体装置。
【請求項４】
請求項１乃至３のいずれか一に記載の半導体装置と、表示部と、を有する電子機器。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶として記憶する保留記憶手段と、
前記有利状態に制御されるか否かを判定する判定手段と、
前記保留記憶手段に記憶されている保留記憶に対応する保留表示を表示する保留表示手段と、を備え、
前記保留表示手段は、前記判定手段の判定にもとづいて、通常態様とは異なる複数種類の表示態様のいずれかにより保留表示を表示することが可能であり、
一の保留表示が前記通常態様とは異なる特定の表示態様により表示されている場合に、該一の保留表示とは異なる他の保留表示が所定の表示態様により表示されることを制限する制限手段をさらに備え、
前記制限手段は、複数の態様で制限可能である
ことを特徴とする遊技機。
【請求項２】
可変表示を実行する可変表示時間をあらかじめ定められた複数種類の可変表示時間から選択する可変表示時間選択手段を備えた
請求項１記載の遊技機。
【請求項３】
実行されている可変表示に対応する特別画像を表示する特別表示手段を備えた
請求項１または請求項２記載の遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】００１１
【補正方法】変更
【補正の内容】
【００１１】
（手段１）本発明による遊技機は、可変表示を行い、遊技者にとって有利な有利状態（例えば、大当り遊技状態）に制御可能な遊技機であって、可変表示に関する情報を保留記憶として記憶する保留記憶手段（例えば、第１保留記憶バッファや第２保留記憶バッファ）と、有利状態に制御されるか否かを判定する判定手段（例えば、遊技制御用マイクロコンピュータ５６０がステップＳ２１８Ａ，Ｓ２１８Ｂを実行する部分）と、保留記憶手段に記憶されている保留記憶に対応する保留表示を表示する保留表示手段（例えば、第１保留記憶表示部１８ｃや第２保留記憶表示部１８ｄ）と、を備え、保留表示手段は、判定手段の判定にもとづいて、通常態様とは異なる複数種類の表示態様（例えば、第１態様、第２態様または第３態様）のいずれかにより保留表示を表示することが可能であり、一の保留表示が通常態様とは異なる特定の表示態様（例えば、第３態様）により表示されている場合に、該一の保留表示とは異なる他の保留表示が所定の表示態様（例えば、第３態様）により表示されることを制限する制限手段（例えば、演出制御用マイクロコンピュータ１００がステップＳ９１１〜Ｓ９１５ｂ，Ｓ９１１〜Ｓ９２３ｂを実行する部分）をさらに備え、制限手段は、複数の態様で制限可能であることを特徴とする。
そのような構成により、保留表示について複数の態様で制限可能であるため、演出が単調になることを防ぎ、興趣を高めることができる。
【手続補正４】
【補正対象書類名】明細書
【補正対象項目名】００１２
【補正方法】変更
【補正の内容】
【００１２】
（手段２）手段１において、可変表示を実行する可変表示時間をあらかじめ定められた複数種類の可変表示時間から選択する可変表示時間選択手段（例えば、遊技制御用マイクロコンピュータ５６０がステップＳ１００を実行する部分）を備えるように構成されていてもよい。
そのような構成によれば、可変表示時間を好適に選択することができる。
【手続補正５】
【補正対象書類名】明細書
【補正対象項目名】００１３
【補正方法】変更
【補正の内容】
【００１３】
（手段３）手段１または手段２において、実行されている可変表示に対応する特別画像（例えば、アクティブ保留表示）を表示する特別表示手段（例えば、アクティブ保留表示部１８ｅ）を備えるように構成されていてもよい。
そのような構成によれば、可変表示が実行されていることを認識させやすくすることができる。
【手続補正６】
【補正対象書類名】明細書
【補正対象項目名】００１４
【補正方法】変更
【補正の内容】
【００１４】
（手段４）手段１から手段３において、第１の割合で短い可変表示時間で可変表示を実行する第１期間（例えば低ベース状態に制御されている期間）と、該第１の割合よりも高い割合で短い可変表示時間で可変表示を実行する第２期間（例えば高ベース状態に制御されている期間）とがあり、制限手段は、第１期間と第２期間とで、制限の態様を異ならせるように構成されていてもよい。
そのような構成によれば、各期間に適した制限を行うことができる。
【手続補正７】
【補正対象書類名】明細書
【補正対象項目名】００１５
【補正方法】変更
【補正の内容】
【００１５】
（手段５）手段１から手段４において、第１の割合で短い可変表示時間で可変表示を実行する第１期間と、該第１の割合よりも高い割合で短い可変表示時間で可変表示を実行する第２期間とがあり、保留表示手段は、第１期間と第２期間とで、異なる態様で保留表示を表示する（例えば、低ベース状態に制御されているときに四角形で表示し、高ベース状態に制御されているときに円形で表示する）ように構成されていてもよい。
そのような構成によれば、異なる態様で保留表示が表示されるため、興趣を高めることができる。
【手続補正８】
【補正対象書類名】明細書
【補正対象項目名】００１６
【補正方法】変更
【補正の内容】
【００１６】
（手段６）手段１から手段５において、実行されている可変表示に対応する特別画像を表示する特別表示手段を備え、特別表示手段は、制限手段によって制限がなされた保留表示に対応する保留記憶にもとづいて可変表示が実行されているときに、特別画像を特定態様（例えば第１態様〜第３態様）に変化させやすい（例えば第１演出態様〜第３演出態様のいずれかで特定演出が実行される。図３６参照）ように構成されていてもよい。
そのような構成によれば、制限手段によって制限がなされた保留表示に対応する保留記憶であっても、当該保留記憶にもとづいて可変表示が実行されているときの興趣を高めることができる。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
識別情報の可変表示を行い、表示結果として予め定められた特定表示結果が表示されたときに遊技者にとって有利な特定遊技状態に制御可能な遊技機であって、
前記識別情報の可変表示に関する情報を保留記憶として記憶可能な保留記憶手段と、
前記保留記憶手段に記憶されている保留記憶に対応した保留表示の表示態様を第１態様と該第１態様と異なる第２態様とで表示可能な保留表示手段と、
前記識別情報の可変表示を行うときに、当該識別情報の可変表示に対応する可変表示対応表示を表示可能な可変表示対応表示手段と、
前記保留表示手段により保留表示が前記第１態様で表示されている場合に、該第１態様の保留表示を、該第１態様の保留表示に対応する前記識別情報の可変表示の開始にともなう第１タイミングにて消去可能な表示消去手段と、
を備え、
前記保留表示手段は、保留表示に対応する前記識別情報の可変表示の表示結果が前記特定表示結果となる場合には前記特定表示結果とならない場合と比べて該保留表示を高い割合で前記第２態様で表示し、
前記可変表示対応表示手段は、前記保留表示手段により保留表示が前記第２態様で表示されている場合に、該第２態様の保留表示に対応する前記識別情報の可変表示を開始した後であって少なくとも前記第１タイミングよりも後の第２タイミングまで可変表示対応表示を表示する
ことを特徴とする遊技機。
【請求項２】
前記可変表示対応表示手段は、可変表示対応表示の表示態様を第３態様と該第３態様と異なる第４態様とで表示可能であり、前記識別情報の可変表示を行うときに、当該識別情報の可変表示に対応する保留表示が前記第２態様で表示されている場合に、当該識別情報の可変表示の表示結果が前記特定表示結果となる場合は前記特定表示結果とならない場合と比べて高い割合で前記第４態様の可変表示対応表示を表示する
ことを特徴とする請求項１に記載の遊技機。
【請求項３】
前記可変表示対応表示手段は、可変表示対応表示の表示態様を第３態様と該第３態様と異なる第４態様とで表示可能であり、前記保留表示手段における保留表示の表示態様を前記第１態様から前記第２態様に変化させるときと、前記可変表示対応表示手段における可変表示対応表示の表示態様を前記第３態様から前記第４態様に変化させるときとがあり、前記保留表示手段における保留表示の表示態様を前記第１態様から前記第２態様に変化させる割合と可変表示対応表示の表示態様を前記第３態様から前記第４態様に変化させる割合が異なる
ことを特徴とする請求項１または２に記載の遊技機。
【請求項４】
前記可変表示対応表示手段は、前記識別情報の可変表示を行うときに、当該識別情報の可変表示に対応する保留表示が前記第１態様で表示されている場合に、特定の条件が成立しているときには特定の表示態様で可変表示対応表示を表示する
ことを特徴とする請求項１〜３のいずれかに記載の遊技機。
【手続補正２】
【補正対象書類名】明細書
【補正対象項目名】０００１
【補正方法】変更
【補正の内容】
【０００１】
本発明は、識別情報の可変表示を行い、表示結果として予め定められた特定表示結果が表示されたときに遊技者にとって有利な特定遊技状態に制御可能な遊技機に関する。
【手続補正３】
【補正対象書類名】明細書
【補正対象項目名】０００６
【補正方法】変更
【補正の内容】
【０００６】
前記課題を解決するために、本発明の請求項１に記載の遊技機は、
識別情報（例えば、特別図柄や演出図柄）の可変表示（例えば、変動表示）を行い、表示結果として予め定められた特定表示結果（例えば、大当り図柄）が表示されたときに遊技者にとって有利な特定遊技状態（例えば、大当り遊技状態、小当り遊技状態、確変状態、時短状態）に制御可能な遊技機（例えば、パチンコ遊技機１）であって、
前記識別情報の可変表示に関する情報を保留記憶として記憶可能な保留記憶手段（例えば、図２１（Ａ）に示す入賞時判定結果記憶バッファ）と、
前記保留記憶手段に記憶されている保留記憶に対応した保留表示の表示態様を第１態様（例えば、通常態様や特殊態様）と該第１態様と異なる第２態様（例えば、第１特別態様や第２特別態様）とで表示可能な保留表示手段（例えば、演出制御用ＣＰＵ１２０が図２７に示す保留表示更新処理にて保留表示を入賞時判定結果記憶バッファの表示態様フラグにもとづいて演出表示装置５に表示可能な部分）と、
前記識別情報の可変表示を行うときに、当該識別情報の可変表示に対応する可変表示対応表示（例えば、消費保留表示）を表示可能な可変表示対応表示手段（例えば、演出制御用ＣＰＵ１２０が図２７に示す保留表示更新処理にて消費保留表示をアクティブ表示記憶バッファの表示態様フラグにもとづいて演出表示装置５に表示可能な部分）と、
前記保留表示手段により保留表示が前記第１態様で表示されている場合に、該第１態様の保留表示を、該第１態様の保留表示に対応する前記識別情報の可変表示の開始にともなう第１タイミングにて消去可能な表示消去手段（例えば、通常態様の保留表示にもとづく変動開始時に、演出制御用ＣＰＵ１２０が図２８に示す演出図柄変動開始処理のＳ１８０７ｃにてアクティブ表示記憶バッファの表示態様フラグに非表示態様に対応する値「４」をセットすることで、消費保留表示を消去可能な部分）と、
を備え、
前記保留表示手段は、保留表示に対応する前記識別情報の可変表示の表示結果が前記特定表示結果となる場合には前記特定表示結果とならない場合と比べて該保留表示を高い割合で前記第２態様で表示し（例えば、演出制御用ＣＰＵ１２０が図２２に示す先読み演出決定処理のＳ６７１０４にて先読み演出を実行するか否かを決定するときに用いる図２３（Ａ）に示す先読み演出実行決定テーブルにおいて、期待度が高いリーチ演出が行われる方が先読み演出が実行される割合が高くなるように判定値が設定されている部分）、
前記可変表示対応表示手段は、前記保留表示手段により保留表示が前記第２態様で表示されている場合に、該第２態様の保留表示に対応する前記識別情報の可変表示を開始した後であって少なくとも前記第１タイミングよりも後の第２タイミングまで可変表示対応表示を表示する（例えば、第１特別態様の保留表示にもとづく変動開始時に、演出制御用ＣＰＵ１２０が図３２に示す演出図柄変動中処理のＳ１８４５ｃにてアクティブ表示記憶バッファにおける表示態様フラグを決定した表示態様に応じた値にセットすることで、消費保留表示を決定した態様にて表示する部分）
ことを特徴としている。
この特徴によれば、第２態様で開始される可変表示が遊技者にとって有利な表示結果をもたらす期待度の高い可変表示であることを遊技者が認識し易くできる。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
始動条件が成立した後、開始条件が成立したことに基づいて抽選を行う抽選手段と、
前記開始条件の成立に基づいて表示手段の変動制御を開始して前記抽選結果に応じた表示結果を導出表示する表示制御手段と、
前記開始条件が成立し、前記抽選手段による前記抽選で特別結果に当選した場合に実行される前記変動制御が開始されたことに応じて遊技者に有利な特別有利状態を付与し得る有利付与手段と、を備え、
前記有利付与手段によって前記特別有利状態が付与されえる期間を遊技者が利益享受されえる回数が異なるように複数設定することで、開始された前記特別有利状態が付与されえる期間に応じて有利度合いが異なるようにし、
前記有利付与手段によって前記特別有利状態が付与されえる期間の終了するタイミングは認識可能にされており、
前記変動制御が開始されたことに応じて前記特別有利状態が付与された状態においては、遊技者に対して打ち方を示す表示が行われており、
前記打ち方を示す表示に従った打ち方を遊技者が行うことで利益教授を受けることが可能とされ、
前記変動制御が開始されたことに応じて遊技者に有利な前記特別有利状態を付与する前記有利付与手段と、前記抽選を実行する前記抽選手段は、遊技の進行を制御する主制御手段と前記主制御手段から送信されるコマンドに基づいて演出を制御する副制御手段のうち、前記主制御手段によって制御される
ことを特徴とする遊技機。
【手続補正２】
【補正対象書類名】明細書
【補正対象項目名】０００５
【補正方法】変更
【補正の内容】
【０００５】
本発明は、上記した事情に鑑みなされたもので、その目的とするところは、遊技興趣の低下を抑止することが可能な遊技機を提供することにある。
【手続補正３】
【補正対象書類名】明細書
【補正対象項目名】０００６
【補正方法】変更
【補正の内容】
【０００６】
（解決手段１）
始動条件が成立した後、開始条件が成立したことに基づいて抽選を行う抽選手段と、
前記開始条件の成立に基づいて表示手段の変動制御を開始して前記抽選結果に応じた表示結果を導出表示する表示制御手段と、
前記開始条件が成立し、前記抽選手段による前記抽選で特別結果に当選した場合に実行される前記変動制御が開始されたことに応じて遊技者に有利な特別有利状態を付与し得る有利付与手段と、を備え、
前記有利付与手段によって前記特別有利状態が付与されえる期間を遊技者が利益享受されえる回数が異なるように複数設定することで、開始された前記特別有利状態が付与されえる期間に応じて有利度合いが異なるようにし、
前記有利付与手段によって前記特別有利状態が付与されえる期間の終了するタイミングは認識可能にされており、
前記変動制御が開始されたことに応じて前記特別有利状態が付与された状態においては、遊技者に対して打ち方を示す表示が行われており、
前記打ち方を示す表示に従った打ち方を遊技者が行うことで利益教授を受けることが可能とされ、
前記変動制御が開始されたことに応じて遊技者に有利な前記特別有利状態を付与する前記有利付与手段と、前記抽選を実行する前記抽選手段は、遊技の進行を制御する主制御手段と前記主制御手段から送信されるコマンドに基づいて演出を制御する副制御手段のうち、前記主制御手段によって制御されることを特徴とする遊技機。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
この発明によれば、抽選に当選した変動制御の開始時に遊技者に有利な特別有利状態を付与されるため、変動制御の開始時に突然遊技者に有利な特別有利状態となることで遊技者に驚きと意外性を与えることができ、特別有利状態の発生に期待させながら変動制御の開始に注目させることができるため、遊技興趣の低下を抑止することができる。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
シートバックの骨格をなすシートバックフレームと、前記シートバックフレームの後部に設けられたバックカバーとを有する乗物用シートであって、
前記バックカバーは板状をなす本体と、前記本体に結合し、左右に対をなす左側係止部及び右側係止部とを有し、
前記シートバックフレームは上下に延在し、前記係止部が掛止される棒状部材を含み、
前記左側係止部が、前記本体から前方に突出して前記棒状部材の背面視で右側を通過する突片、及び前記突片から左方に突出し、前記本体に対向して前記棒状部材に当接する逆止面を備えた爪部を有する係止爪と、前記本体から前方に突出して前記棒状部材の背面視で左側を通過し、前記係止爪に間隙を介して対向する衝立と、前記係止爪と前記衝立との間において前記本体から突出し、前記棒状部材の前記本体側への移動を制限する突壁とを含み、
前記係止爪の前記衝立から離れた側の側面には前記衝立側に凹んだ肉抜き部が形成されていることを特徴とする乗物用シート。
【請求項２】
前記係止爪の左右方向の幅は、前記衝立の左右方向の幅よりも小さいことを特徴とする請求項１に記載の乗物用シート。
【請求項３】
前記衝立の前記係止爪から離れた側の面には肉抜き部が形成されていることを特徴とする請求項１又は請求項２に記載の乗物用シート。
【請求項４】
前記シートバックフレームに設けられた乗員の背部を支持する背部支持部材を有し、
前記係止爪は前記背部支持部材と、前記シートバックフレームとの間に位置していることを特徴とする請求項１〜請求項３のいずれか１つの項に記載の乗物用シート。
【請求項５】
前記本体の前面に突設されたフックと、
前記フックに掛止され、前記背部支持部材に対応して配置されるクッション部材とを有し、
前記係止爪は、前記クッション部材の左右外縁と、前記シートバックフレームの左右外縁との間に配置されていることを特徴とする請求項４に記載の乗物用シート。
【請求項６】
前記背部支持部材は前記シートバックフレームに左右に掛け渡された弾性部材を介して結合され、
前記係止爪の少なくとも１つは前記弾性部材に後方から重なり合う位置にあることを特徴とする請求項４又は請求項５に記載の乗物用シート。
【請求項７】
前記シートバックには、乗員の概ね肩に対応する位置に前後に貫通する左右１対の貫通孔が形成され、
前記係止爪は前記貫通孔の下側に位置していることを特徴とする請求項１〜請求項６のいずれか１つの項に記載の乗物用シート。
【請求項８】
左右の前記衝立間の距離は、左側の前記棒状部材の左面と右側の前記棒状部材の右面との間の距離と実質的に同一であることを特徴とする請求項１〜請求項７のいずれか１つの項に記載の乗物用シート。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
ハウジング内に少なくとも１つのガス分離膜エレメントを備えた分離膜モジュールと、
外気を遮断するための筐体と、
前記筐体の内部を満たす熱媒体の温度を調整するための熱源部と、を有し、
前記筐体は、その内部に前記分離膜モジュールを少なくとも２基以上収容しており、
式（Ａ）で算出される、前記筐体の内部に収容された前記分離膜モジュールの外容積効率は、５％以上５０％以下である、ガス分離装置。
外容積効率＝（分離膜モジュールの外容積／筐体の外容積）×１００    （Ａ）
【請求項２】
前記熱源部は、前記筐体の内部及び前記筐体の外部の少なくとも一方に設けられている、請求項１に記載のガス分離装置。
【請求項３】
前記筐体を構成する層は、少なくとも熱抵抗値が０．１ｍ２・Ｋ／Ｗ以上である、請求項１又は２に記載のガス分離装置。
【請求項４】
前記筐体を構成する層のうち少なくとも１つの層をなす材料は、少なくとも熱伝導率が１Ｗ／（ｍ・Ｋ）以下である、請求項１〜３のいずれか１項に記載のガス分離装置。
【請求項５】
前記分離膜モジュールは、前記ハウジング内に２基以上のガス分離膜エレメントを備える、請求項１〜４のいずれか１項に記載のガス分離装置。
【請求項６】
さらに、前記分離膜モジュールに原料ガスを供給するための原料ガス流通配管と、前記分離膜モジュールから排出ガスを排出するための排出ガス流通配管とを備える、請求項１〜５のいずれか１項に記載のガス分離装置。
【請求項７】
前記原料ガス流通配管は、前記分離膜モジュールのそれぞれに前記原料ガスを分配して供給するための分岐部を有し、
前記排出ガス流通配管は、前記分離膜モジュールのそれぞれが排出した前記排出ガスを集約して排出するための集合部を有し、
前記分岐部及び前記集合部のうちの少なくとも一方は、前記筐体の内部に設けられている、請求項６に記載のガス分離装置。
【請求項８】
前記ガス分離膜エレメントに供給される原料ガスは、少なくとも水蒸気を含む、請求項１〜７のいずれか１項に記載のガス分離装置。
【請求項９】
前記ガス分離膜エレメントは、親水性樹脂組成物層を備えるガス分離膜を有する、請求項１〜８のいずれか１項に記載のガス分離装置。
【請求項１０】
前記親水性樹脂組成物層は、親水性樹脂、及び、酸性ガスと可逆的に反応する物質を含む、請求項９に記載のガス分離装置。
【請求項１１】
前記ガス分離膜エレメントは、スパイラル型ガス分離膜エレメントである、請求項１〜１０のいずれか１項に記載のガス分離装置。
【請求項１２】
請求項１〜１１のいずれか１項に記載のガス分離装置を用いたガス分離方法であって、
前記熱源部を用いて前記熱媒体の温度を所定温度に維持するように調整する温度調整工程と、
前記分離膜モジュールに原料ガスを供給してガス分離処理を行う工程と、を有する、ガス分離方法。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
ロールミルの移動ロールと、前記移動ロールの位置を調整するための回転軸と、前記回転軸の回転量に応じて異なる指標を表示する指標表示装置とを有することを特徴とする、移動ロールの位置調整装置。
【請求項２】
請求項１に記載した移動ロールの位置調整装置において、前記指標は、前記回転軸の正転及び逆転により増減する複数桁のアナログ表示又はデジタル表示された数字を含むことを特徴とする、前記移動ロールの位置調整装置。
【請求項３】
請求項１又は２に記載した移動ロールの位置調整装置において、前記回転軸に、前記回転軸を回転させるためのハンドルを取り付けたことを特徴とする、前記移動ロールの位置調整装置。
【請求項４】
請求項１乃至３のうちのいずれか一項に記載した移動ロールの位置調整装置において、前記ロールミルの機枠に、前記回転軸の周面を挟圧することにより、前記回転軸の回転を阻止する、クランプ装置を取り付けたことを特徴とする、前記移動ロールの位置調整装置。
【請求項５】
請求項１乃至４のうちのいずれか一項に記載した移動ロールの位置調整装置において、前記ロールミルの機枠にレールを形成し、前記移動ロールのスピンドルに自動調芯軸受を介してスライダを取り付け、前記スライダが前記移動ロールの前記回転軸芯を横切る方向に往復動するように、前記レールに前記スライダを係合し、前記回転軸の正転及び逆転により前記スライダが前記レールに沿って往復動するように、前記スライダと前記回転軸を送りねじ機構を介して連結し、前記機枠と前記回転軸の間に、前記回転軸が前記回転軸の軸線の周りに正転及び逆転することを許容し、かつ、前記回転軸が前記回転軸の軸線に沿って移動することを規制する、軸受機構を介装したことを特徴とする、前記移動ロールの位置調整装置。
【請求項６】
請求項５に記載した移動ロールの位置調整装置において、前記軸受機構は、前記機枠と前記回転軸の周面との間に介装されたドライベアリングと、前記回転軸の周面の環状溝に係合し及び／又は前記回転軸の周面と螺合して、前記回転軸に位置固定された、一対のセットカラーを有し、前記一対のセットカラーをそれぞれ前記ドライベアリングに隣接して配置し、前記一対のセットカラーをそれぞれ前記ドライベアリングに摺接させたことを特徴とする、前記移動ロールの位置調整装置。
【請求項７】
請求項５又は６に記載した移動ロールの位置調整装置において、前記レールと前記スライダの間に、前記スライダの滑動を促進するスライド・プレートを介装したことを特徴とする、前記移動ロールの位置調整装置。
【請求項８】
請求項１乃至７のうちのいずれか一項に記載した移動ロールの位置調整装置を、ロールミルの移動ロールの左端部と右端部にそれぞれ配置し、前記移動ロールの左端部と右端部を、それぞれ独立して往復動することができるように構成したことを特徴とする、ロールミル。
【請求項９】
請求項８に記載したロールミルにおいて、前記ロールミルを、仕込みロール、中間ロール及び仕上げロールを有する、三本ロールミルによって構成し、前記仕込みロールと前記仕上げロールを前記移動ロールによって構成し、前記中間ロールを前記ロールミルの機枠に位置固定された固定ロールによって構成し、前記仕込みロールの左端部と右端部を、前記中間ロールに関して、それぞれ独立して往復動することができるように構成し、前記前記仕上げロールの左端部と右端部を、前記中間ロールに関して、それぞれ独立して往復動することができるように構成したことを特徴とする、前記ロールミル。
【手続補正２】
【補正対象書類名】明細書
【補正対象項目名】００１４
【補正方法】変更
【補正の内容】
【００１４】
本発明の移動ロールの位置調整装置は、ロールミルの移動ロールと、前記移動ロールの位置を調整するための回転軸と、前記回転軸の回転量に応じて異なる指標を表示する指標表示装置とを有することを特徴とする。
【手続補正３】
【補正対象書類名】明細書
【補正対象項目名】００１５
【補正方法】変更
【補正の内容】
【００１５】
本発明の移動ロールの位置調整装置は、前記指標が、前記回転軸の正転及び逆転により増減する複数桁の数値を含むことを特徴とする。
【手続補正４】
【補正対象書類名】明細書
【補正対象項目名】００２２
【補正方法】変更
【補正の内容】
【００２２】
本発明のロールミルは、また、前記ロールミルを、仕込みロール、中間ロール及び仕上げロールを有する、三本ロールミルによって構成し、前記仕込みロールと前記仕上げロールを前記移動ロールによって構成し、前記中間ロールを前記機枠に位置固定された固定ロールによって構成し、前記仕込みロールの左端部と右端部を、前記仕込みロールの回転軸芯を横切る方向に、それぞれ独立して位置調整することができるように構成し、前記仕上げロールの左端部と右端部を、前記仕上げロールの回転軸芯を横切る方向に、それぞれ独立して位置調整することができるように構成することを特徴とする。
【手続補正５】
【補正対象書類名】明細書
【補正対象項目名】００２６
【補正方法】変更
【補正の内容】
【００２６】
回転軸の回転量は、回転軸の回転に伴って連続的に増減する物理量である。回転軸の回転量は、回転軸の回転角度、回転数及びこれらの組み合わせによって表示することができる。回転角度及び回転数は零であることができるから、この回転量は零を含む観念である。
【手続補正６】
【補正対象書類名】明細書
【補正対象項目名】００３６
【補正方法】変更
【補正の内容】
【００３６】
移動ロールの左端部と右端部をそれぞれ独立して位置調整可能にすると、移動ロールの回転軸芯が移動ロールに並設された固定ロール等の別のロールの回転軸芯に対して、角度を成す場合がある。このような場合にも、移動ロールがその回転軸芯の周りに滑らかに回転することができるように、移動ロールの左端部と右端部を自動調芯軸受によって支承することができる。また、このような場合に、移動ロールの左端部と右端部を滑らかに移動させることができるように、自動調芯軸受を支持するスライダと、スライダが摺動自在に係合するレールとの間に、スライダの滑動を促進するスライド・プレートを介装することができる。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
複数の可動体と、
前記可動体の動作を個々に制御可能な可動体制御手段と、
所定条件が成立したことにもとづいて、特別報知を実行可能な特別報知手段と、
を備え、
前記特別報知手段は、前記特別報知として特別画面の表示による報知を実行可能であって、該特別画面が表示されたことにもとづいて、前記可動体の各々を順次、所定動作させることにより、前記可動体の各々について正常に動作しているか否かを確認可能に報知する
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
遊技を行うことが可能な遊技機（例えば、パチンコ遊技機１）であって、
複数の可動体（例えば、第１可動体１１６ＳＧ０３２Ｌ、第２可動体１１６ＳＧ０３２Ｒ、第３可動体１１６ＳＧ０３２Ｕ、第４可動体１１６ＳＧ０３２Ｄ）と、
前記可動体の動作を個々に制御可能な可動体制御手段（例えば、演出制御用ＣＰＵ１２０が可動体動作演出として第１可動体１１６ＳＧ０３２Ｌ、第２可動体１１６ＳＧ０３２Ｒ、第３可動体１１６ＳＧ０３２Ｕ、第４可動体１１６ＳＧ０３２Ｄを個別に動作可能な部分）と、
所定条件が成立したこと（例えば、設定切替スイッチ１１６ＳＧ４００のチャンネルが「Ｃ」にセットされたこと）にもとづいて、特別報知を実行可能な特別報知手段（例えば、演出制御用ＣＰＵ１２０が図２２−９に示す設定切替スイッチ関連処理の一部として可動体動作チェック処理や可動体動作再チェック処理を実行する部分）と、
を備え、
前記特別報知手段は、前記特別報知として特別画面の表示による報知を実行可能であって、該特別画面が表示されたことにもとづいて、前記可動体の各々を順次、所定動作させることにより、前記可動体の各々について正常に動作しているか否かを確認可能に報知する（例えば、図２２−１８に示すように、画像表示装置５において動作チェック結果画像を表示するとともに、各可動体の動作チェックを順番に実行していき、各可動体に応じた原点位置センサと演出位置センサの欄に順次「○」、「△」、「×」等を表示していく部分）
ことを特徴としている。
この特徴によれば、どの可動体が正常に動作しているか否かを把握することができる。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技者にとって有利な有利期間に対応した制御を実行可能な遊技機であって、
第１遊技価値と該第１遊技価値とは遊技価値の大きさが異なる第２遊技価値とを付与可能な遊技価値付与手段と、
演出を実行可能な演出実行手段と、
前記遊技価値付与手段によって付与された前記第１遊技価値と前記第２遊技価値とを合算して集計可能な遊技価値集計手段と、
前記遊技価値集計手段により集計された集計値を表示可能な集計値表示手段と、
を備え、
前記有利期間は、特定期間と、前記特定期間と繋がる期間であって前記特定期間とは遊技者にとっての有利度合いが異なり遊技者にとって有利な特定報知演出が実行される所定期間と、前記特定期間及び前記所定期間とは遊技者にとっての有利度が異なる特別期間と、を含み、
前記遊技価値集計手段は、前記有利期間において前記遊技価値付与手段により付与された集計値である第１集計値を集計可能であるとともに、前記特定期間と前記所定期間の期間中において前記遊技価値付与手段により付与された遊技価値の集計値である第２集計値を集計可能であり、
前記集計値表示手段は、前記第１集計値と前記第２集計値とを表示可能である
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａの遊技機は、
遊技者にとって有利な有利期間に対応した制御を実行可能な遊技機であって、
第１遊技価値と該第１遊技価値とは遊技価値の大きさが異なる第２遊技価値とを付与可能な遊技価値付与手段と、
演出を実行可能な演出実行手段と、
前記遊技価値付与手段によって付与された前記第１遊技価値と前記第２遊技価値とを合算して集計可能な遊技価値集計手段と、
前記遊技価値集計手段により集計された集計値を表示可能な集計値表示手段と、
を備え、
前記有利期間は、特定期間と、前記特定期間と繋がる期間であって前記特定期間とは遊技者にとっての有利度合いが異なり遊技者にとって有利な特定報知演出が実行される所定期間と、前記特定期間及び前記所定期間とは遊技者にとっての有利度が異なる特別期間と、を含み、
前記遊技価値集計手段は、前記有利期間において前記遊技価値付与手段により付与された集計値である第１集計値を集計可能であるとともに、前記特定期間と前記所定期間の期間中において前記遊技価値付与手段により付与された遊技価値の集計値である第２集計値を集計可能であり、
前記集計値表示手段は、前記第１集計値と前記第２集計値とを表示可能である
ことを特徴とする。
また、手段１の遊技機として、
遊技者にとって有利な有利期間（例えば、大当り遊技状態、低確高ベース状態、スペシャルゾーンを含む高確高ベース状態、小当り遊技状態）に対応した制御を実行可能な遊技機（例えば、パチンコ遊技機１）であって、
遊技価値（例えば、賞球）を付与する遊技価値付与手段（例えば、ＣＰＵ１０３が賞球処理を実行する部分）と、
演出を実行可能な演出実行手段（例えば、演出制御用ＣＰＵ１２０が演出制御プロセス処理を実行する部分）と、
前記遊技価値付与手段によって付与された遊技価値を集計可能な遊技価値集計手段（例えば、演出制御用ＣＰＵ１２０が図８−１７に示す賞球数表示処理の１１３ＳＧＳ３０８や１１３ＳＧＳ３１９の処理を実行する部分）と、
前記遊技価値集計手段により集計された集計値を表示可能な集計値表示手段（例えば、演出制御用ＣＰＵ１２０が図８−１７に示す賞球数表示処理の１１３ＳＧＳ３０９や１１３ＳＧＳ３２０の処理を実行する部分）と、
を備え、
前記有利期間は、特定期間（例えば、大当り遊技状態）と、前記特定期間と繋がる期間であって前記特定期間とは遊技者にとっての有利度合いが異なり遊技者にとって有利な特定報知演出が実行される所定期間（例えば、スペシャルゾーンを含む高確高ベース状態）と、前記特定期間及び前記所定期間とは遊技者にとっての有利度が異なる特別期間（例えば、低確高ベース状態）と、を含み、
前記遊技価値集計手段は、前記有利期間において前記遊技価値付与手段により付与された遊技価値の集計値である第１集計値（例えば、連荘中に払い出された全ての賞球数の値）を集計可能であるとともに、前記特定期間と前記所定期間の期間中において前記遊技価値付与手段により付与された遊技価値の集計値である第２集計値（例えば、確変大当りＡの大当り遊技中に払い出された賞球数とスペシャルゾーン中に払い出された賞球数）を集計可能であり、
前記集計値表示手段は、前記第１集計値と前記第２集計値とを表示可能である（例えば、図８−２３に示すように、連荘中に払い出された全ての賞球数の集計値である第１賞球数カウンタの値１１３ＳＧ００５Ａと確変大当りＡの大当り遊技中に払い出された賞球数とスペシャルゾーン中に払い出された賞球数の集計値である第２賞球数カウンタの値１１３ＳＧ００５Ｂとを画像表示装置５に表示可能な部分）
ことを特徴としてもよい。
この特徴によれば、有利期間における集計値を適切に表示することができる。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
複数の設定値のうちのいずれかの設定値に設定可能な設定手段と、
設定された設定値にもとづいて遊技者にとっての有利度が異なるように遊技を進行可能な遊技制御手段と、
遊技機の初期化に関する第１動作を検出可能な第１動作検出手段と、
前記第１動作とは異なる第２動作を検出可能な第２動作検出手段と、
電力供給の開始の際に前記第１動作及び前記第２動作が検出されたことに基づいて前記設定手段による設定値の変更を許可する変更許可状態に制御可能な設定制御手段と、
前記電力供給の開始の際に前記第１動作が検出され前記第２動作が検出されないときと、前記電力供給の開始の際に前記第１動作及び前記第２動作が検出されたときとのそれぞれで前記初期化処理を実行可能な初期化実行手段と、
前記初期化実行手段により前記初期化処理が実行されたことに基づいて、所定期間に亘って初期化報知を実行可能な初期化報知手段と、を備え、
前記初期化報知手段は、
電力供給の開始の際に前記第１動作が検出され前記第２動作が検出されないときに、該電力供給の開始とともに初期化報知を実行し、
電力供給の開始の際に前記第１動作及び前記第２動作が検出されたときに、該電力供給の開始とともに初期化報知を実行せず、
前記設定手段は、前記変更許可状態であるときに、前記設定手段により設定される設定値を前記第１動作の検出に応じて変更可能である
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定値のいずれかに変更可能な遊技機として、例えば特許文献１に記載されているものがある。また、ＲＡＭに保存されている内容をクリアするためのクリアスイッチが設けられたものとして、例えば特許文献２に記載されているものがある。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２００５−３４２３５４号公報
【手続補正４】
【補正対象書類名】明細書
【補正対象項目名】０００４
【補正方法】変更
【補正の内容】
【０００４】
しかしながら、特許文献１や特許文献２に記載の技術では、ＲＡＭに保存されている内容をクリアする契機が複数ある場合について、考慮されていなかった。
【手続補正５】
【補正対象書類名】明細書
【補正対象項目名】０００５
【補正方法】変更
【補正の内容】
【０００５】
この発明は、上記の実状に鑑みてなされたものであり、ＲＡＭに保存されている内容をクリアする契機が複数ある場合であっても、好適に遊技機を制御できる遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技を行い、遊技者にとって有利な有利状態（例えば大当り遊技状態など）に制御可能な遊技機（例えばパチンコ遊技機１など）であって、
複数の設定値のうちのいずれかの設定値（例えば設定値１〜３のいずれかなど）に設定可能な設定手段（例えばステップＳａ１３の設定変更処理を実行するＣＰＵ１０３など）と、
設定された設定値にもとづいて遊技者にとっての有利度が異なるように遊技を進行可能な遊技制御手段（例えばステップＳ２５の特別図柄プロセス処理を実行するＣＰＵ１０３など）と、
遊技機の初期化に関する第１動作を検出可能な第１動作検出手段（例えばクリアスイッチＡＫ００１など）と、
前記第１動作とは異なる第２動作を検出可能な第２動作検出手段（例えば錠スイッチ５１など）と、
電力供給の開始の際に前記第１動作及び前記第２動作が検出されたことに基づいて前記設定手段による設定値の変更を許可する変更許可状態に制御可能な設定制御手段（例えばステップＳａ６、Ｓａ１２を実行するＣＰＵ１０３など）と、
前記電力供給の開始の際に前記第１動作が検出され前記第２動作が検出されないときと、前記電力供給の開始の際に前記第１動作及び前記第２動作が検出されたときとのそれぞれで前記初期化処理を実行可能な初期化実行手段（例えばステップＳａ９等でＲＡＭクリア処理を実行するＣＰＵ１０３など）と、
前記初期化実行手段により前記初期化処理が実行されたことに基づいて、所定期間に亘って初期化報知を実行可能な初期化報知手段（例えばステップ７６ＡＫＳ０１２の電源投入時コマンド処理を実行する演出制御用ＣＰＵ１２０など）と、を備え、
前記初期化報知手段は、
電力供給の開始の際に前記第１動作が検出され前記第２動作が検出されないときに、該電力供給の開始とともに初期化報知を実行し（例えばステップ７６ＡＫＳ０２１にてＹｅｓと判定された場合にはステップ７６ＡＫＳ０３１の処理を実行し）、
電力供給の開始の際に前記第１動作及び前記第２動作が検出されたときに、該電力供給の開始とともに初期化報知を実行せず（例えばステップ７６ＡＫＳ０２３にてＹｅｓと判定された場合には設定変更が終了するまで初期化報知を実行しない）、
前記設定手段は、前記変更許可状態であるときに、前記設定手段により設定される設定値を、前記第１動作の検出に応じて変更可能である（例えば設定変更モードでのクリアスイッチＡＫ００１の押下検知に基づく設定値変更など）。
このような構成によれば、初期化処理を実行するための契機が複数ある場合でも好適に遊技機を制御できる。
また、従来の遊技機として、特開２０１６−１０１４２８号公報で示されているような、リーチ演出の開始時に、リーチ演出の種類を報知するタイトル表示を行う遊技機がある。このような遊技機において、さらに演出効果を高めることが望まれている。
（１）上記目的を達成するため、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。